(57)【要約】【課題】スタンドを用いることなくディスプレイの画像が観やすい状態で筐体を置くことが出来るカメラを提供する。【解決手段】本発明に係るカメラは、筐体１と、筐体１の前面に配備された鏡筒２と、鏡筒２を駆動する鏡筒駆動回路と、該鏡筒駆動回路の動作を制御する制御回路と、筐体１の背面に配備されたディスプレイ９とを具えたカメラにおいて、前記制御回路は、ディスプレイ９に表示された画像を観るための特定のユーザ操作に応じて、鏡筒駆動回路を制御して鏡筒２を筐体１の前面から繰り出し、その繰り出し量は、筐体１の底部と鏡筒２の先端部を接地させて筐体１を置くことが可能な大きさに設定される。【選択図】図４
2009186710.tif 000002
【特許請求の範囲】
【請求項１】
筐体(１)と、該筐体(１)の前面に配備された鏡筒(２)と、該鏡筒(２)を駆動する鏡筒駆動回路(10)と、該鏡筒駆動回路(10)の動作を制御する制御回路(11)と、該筐体(１)の背面に配備されたディスプレイ(９)とを具えたカメラにおいて、前記制御回路(11)は、ディスプレイ(９)に表示された画像を観るための特定のユーザ操作に応じて、鏡筒駆動回路(10)を制御して鏡筒(２)を筐体(１)の前面から繰り出し、その繰り出し量は、筐体(１)の底部と鏡筒(２)の先端部を接地させて筐体(１)を置くことが可能な大きさに設定されることを特徴とするカメラ。
【請求項２】
前記鏡筒(２)の繰り出し量は、予め所定の値に設定されている請求項１に記載のカメラ。
【請求項３】
前記鏡筒(２)の繰り出し量は、予め設定されている複数の値から選択することが可能である請求項１に記載のカメラ。
【請求項４】
前記鏡筒(２)の繰り出し量は、ユーザの操作に応じて、筐体(１)を傾斜姿勢で自立させることが可能な範囲内で任意の値に調整することが可能である請求項１に記載のカメラ。
【請求項５】
前記鏡筒(２)の繰り出し量は、撮影時の繰り出し範囲を越える範囲内で設定される請求項１乃至請求項４の何れかに記載のカメラ。
【請求項６】
前記制御回路(11)は、筐体(１)を傾斜姿勢で自立させた状態でディスプレイ(９)に表示されている画像を観るための特定のモードを設定するユーザ操作に応じて、鏡筒駆動回路(10)を制御して鏡筒(２)を筐体(１)の前面から繰り出す請求項１乃至請求項５の何れかに記載のカメラ。
【請求項７】
筐体(１)と、該筐体(１)の前面に配備された鏡筒(２)と、該鏡筒(２)を駆動する鏡筒駆動回路(10)と、該鏡筒駆動回路(10)の動作を制御する制御回路(11)と、該筐体(１)の背面に配備されたディスプレイ(９)とを具えたカメラにおいて、前記制御回路(11)は、ディスプレイ(９)に表示された画像を観るための特定のモードにおいて、前記鏡筒駆動回路(10)の動作を制御し、筐体(１)の前面からの鏡筒(２)の繰り出し量を設定することを特徴とするカメラ。
【発明の詳細な説明】
【技術分野】
【０００１】
本発明は、繰り出し量の変更が可能な鏡筒を具えたカメラに関するものである。
【背景技術】
【０００２】
デジタルカメラにおいては、図１及び図２に示す如く、筐体(１)の前面に、レンズ(３)を内蔵した鏡筒(２)が配備され、該鏡筒(２)は、撮影時に繰り出し量の変更が可能となっている。又、筐体(１)の背面には、図３に示す如く液晶ディスプレイ(９)が配備され、スライドショー機能等によって撮影画像を観たり、ＴＶ放送番組を視聴することが可能となっている。
【０００３】
この様なデジタルカメラにおいては、スライドショーやＴＶ番組の視聴時に、クレードル等のスタンドを用いて筐体(１)を自立させることにより、ハンズフリーの状態で液晶ディスプレイ(９)に表示されるスライドショーやＴＶ番組の視聴を容易なものとすることが行なわれる(特許文献１)。
しかしながら、筐体(１)を自立させたときの液晶ディスプレイ(９)の画面に対する視線の角度は、体格の違い等によってまちまちとなるため、特定のユーザにとって最も画面の観やすい状態が実現出来るとは限らない。
【０００４】
そこで、自立状態でのディスプレイの傾斜角度を変化させることが出来るクレードルが提案されている(特許文献２)。
【特許文献１】特開２００６−１７４６２０号公報
【特許文献２】特開２００４−２９５５９号公報
【発明の開示】
【発明が解決しようとする課題】
【０００５】
しかしながら、従来のカメラにおいては自立状態でディスプレイの画像を観るためにはクレードル等のスタンドが必ず必要となり、不便である問題があった。
そこで本発明の目的は、クレードル等のスタンドを用いることなくディスプレイの画像が観やすい状態で筐体を置くことが出来るカメラを提供することである。
【課題を解決するための手段】
【０００６】
本発明に係るカメラは、筐体(１)と、該筐体(１)の前面に配備された鏡筒(２)と、該鏡筒(２)を駆動する鏡筒駆動回路(10)と、該鏡筒駆動回路(10)の動作を制御する制御回路(11)と、該筐体(１)の背面に配備されたディスプレイ(９)とを具えている。
前記制御回路(11)は、ディスプレイ(９)に表示された画像を観るための特定のユーザ操作に応じて、鏡筒駆動回路(10)を制御して鏡筒(２)を筐体(１)の前面から繰り出し、その繰り出し量は、筐体(１)の底部と鏡筒(２)の先端部を接地させて筐体(１)を置くことが可能な大きさに設定される。
【０００７】
上記本発明のカメラによれば、ディスプレイ(９)に表示された画像を観るべく特定の操作を行なうと、鏡筒(２)が筐体(１)の前面から繰り出し、その状態で、筐体(１)の底部と鏡筒(２)の先端部を接地させて筐体(１)を置くことが出来る。
この状態で、該筐体(１)の背面に配備されたディスプレイ(９)が傾斜し、該ディスプレイ(９)の画面はユーザの視線方向に対して好適な角度に設定される。
【０００８】
具体的構成において、前記鏡筒(２)の繰り出し量は、予め所定の値に設定されている。
これによって、鏡筒(２)の繰り出し量は、筐体(１)を傾斜姿勢で自立させることが出来、然も、ディスプレイ(９)の画面がユーザの視線方向に対して好適な向きとなる、適切な大きさに自動的に設定されることになる。
【０００９】
又、他の具体的構成において、前記鏡筒(２)の繰り出し量は、予め設定されている複数の値から選択することが可能である。
これによって、ユーザの体格や外光等の周囲の環境に拘わらず、ディスプレイ(９)の画面をユーザの視線方向に対して好適な向きに設定することが出来る。
【００１０】
更に他の具体的な構成において、前記鏡筒(２)の繰り出し量は、ユーザの操作に応じて、筐体(１)を傾斜姿勢で自立させることが可能な範囲内で任意の値に調整することが可能である。
これによって、常に筐体(１)を傾斜姿勢で自立させることが出来、然も、ユーザの体格や外光等の周囲の環境に拘わらず、ディスプレイ(９)の画面をユーザの視線方向に対して最適な向きに設定することが出来る。
【００１１】
他の具体的な構成において、前記鏡筒(２)の繰り出し量は、撮影時の繰り出し範囲を越える範囲内で設定される。尚、当該具体的な構成は、上述の他の具体的構成と共存することが出来る。
これによって、撮影時に設定し得る鏡筒(２)の通常の繰り出し量に拘わらず、筐体(１)を自立させることが出来、然も、ディスプレイ(９)の画面がユーザの視線方向に対して好適な向きとなる、適切な傾斜姿勢の設定が可能となる。
【００１２】
又、本発明に係るカメラは、筐体(１)と、該筐体(１)の前面に配備された鏡筒(２)と、該鏡筒(２)を駆動する鏡筒駆動回路(10)と、該鏡筒駆動回路(10)の動作を制御する制御回路(11)と、該筐体(１)の背面に配備されたディスプレイ(９)とを具え、前記制御回路(11)は、ディスプレイ(９)に表示された画像を観るための特定のモードにおいて、前記鏡筒駆動回路(10)の動作を制御し、筐体(１)の前面からの鏡筒(２)の繰り出し量を設定する。
尚、前記特定のモードとは、再生モードや鑑賞モード等、撮影回路を使用しないモードを意味する。
【発明の効果】
【００１３】
本発明に係るカメラによれば、クレードル等のスタンドを用いることなくディスプレイの画像が観やすい状態で筐体を置くことが出来る。
【発明を実施するための最良の形態】
【００１４】
以下、本発明をデジタルカメラに実施した形態につき、図面に沿って具体的に説明する。
本発明に係るデジタルカメラは、図１及び図２に示す如く、直方体状の筐体(１)の前面に、レンズ(３)を内蔵した鏡筒(２)が配備され、該鏡筒(２)は、繰り出し量の調整が可能となっている。
又、筐体(１)の上面には、電源キー(５)とシャッターキー(６)が配備されると共に、筐体(１)の前面にはフラッシュ(４)が配備されている。
【００１５】
筐体(１)の背面には、図３に示す如く液晶ディスプレイ(９)が配備されている。又、筐体(１)の背面には、ズームキー(７)や４方向キー(８)が配備されている。例えば、通常の撮影モードでズームキー(７)を操作すれば、その操作量に応じて鏡筒(２)の繰り出し量が変更される。
【００１６】
筐体(１)の内部には、図５に示す制御回路(11)が配備され、該制御回路(11)には、前記電源キー等の複数の操作キー(12)、撮影回路(13)、メモリ(14)、液晶ディスプレイ(９)、及びＴＶ放送受信回路(15)が接続されている。又、筐体(１)の内部には鏡筒駆動回路(10)が配備され、制御回路(11)による制御の下で、鏡筒(２)を駆動している。
【００１７】
上記本発明に係るカメラにおいては、通常の撮影モードや再生モード以外に、鑑賞モードが設けられており、鑑賞モードにおいては、図４に示す如く筐体(１)の前面から鏡筒(２)が適切な繰り出し量Ｘだけ繰り出され、筐体(１)の底部と鏡筒(２)の先端部を図示の如く接地させて、筐体(１)を傾斜姿勢で自立させることが可能となる。
この状態で、液晶ディスプレイ(９)の画面には、スライドショーやＴＶ放送番組が映出されることになる。ここで、液晶ディスプレイ(９)は所定角度θの傾斜を有しているので、液晶ディスプレイ(９)の画面はユーザの視線方向に対して好適な角度に設定されることになる。
【００１８】
図６は、撮影モードや再生モードから鑑賞モードに移行した場合の制御手続きを表わしている。
先ずステップＳ１にて、ユーザの操作によって鑑賞モードの開始が指令されたか否かを判断し、イエスと判断されたときは、例えば図８(ａ)の如く液晶ディスプレイ(９)の画面に、“レンズスタンド”をオンとするかオフとするかを選択する画像Ａが表示される。
【００１９】
ここで、“レンズスタンド”をオンとする操作が行なわれると、図６のステップＳ２にて、鏡筒を所定の繰り出し量だけ駆動する。このときの繰り出し量は、図４の如く筐体(１)を傾斜姿勢で自立させることが出来、且つ、液晶ディスプレイ(９)の画面がユーザの視線方向に対して好適な角度に設定されることとなる、適切な大きさに設定されている。
【００２０】
この結果、鏡筒(２)は筐体(１)の前面から適切な繰り出し量だけ繰り出されることになる。該繰り出し量は、通常の撮影モードで設定される鏡筒(２)の繰り出し範囲内若しくは範囲外に設定されている。
そこでユーザは、図４の如く、筐体(１)の底部と鏡筒(２)の先端部を接地させて、筐体(１)を傾斜姿勢で自立させる。
【００２１】
次に図６のステップＳ３では、鑑賞モードを設定して、液晶ディスプレイの画面にスライドショーやＴＶ放送番組を映出する。
その後、ステップＳ４では、ユーザの操作によって鑑賞モードの終了が指令されたか否かを判断し、イエスと判断されたときは、ステップＳ５にて鑑賞モードを終了する。
尚、鑑賞モードの終了後、他のモードに移行したときは、鏡筒(２)は移行先のモードで設定された繰り出し量に設定され、電源キー(５)によって電源を切ると筐体(１)に収納される。
【００２２】
図６の制御手続きによれば、鑑賞モードにおける鏡筒(２)の繰り出し量は、筐体(１)を傾斜姿勢で自立させることが出来、然も、ディスプレイ(９)の画面がユーザの視線方向に対して好適な向きとなる、適切な大きさに自動的に設定されるので、ユーザは簡易な操作により、スライドショーやＴＶ放送番組を観やすい画面で視聴することが出来る。
【００２３】
図７は、撮影モードや再生モードから鑑賞モードに移行した場合の他の制御手続きを表わしている。
先ずステップＳ１１にて、ユーザの操作によって鑑賞モードの開始が指令されたか否かを判断し、イエスと判断されたときは、ステップＳ１２にて、鑑賞モードを設定する。
【００２４】
鑑賞モードにおいては、例えば図８(ｂ)の如く液晶ディスプレイ(９)の画面に、“液晶角度”を３０度、４５度及び６０度から選択するための画像Ｂが表示される。これに応じて、ユーザは、前記ズームキー(７)や４方向キー(８)を操作することにより、何れかの液晶角度を選択することが出来る。
尚、これら複数の液晶角度は、体格の異なる複数人のユーザを考慮して、液晶ディスプレイ(９)の画面が各ユーザにとって好適な角度に設定されることとなる適切な大きさに設定されている。
【００２５】
或いは鑑賞モードにおいては、例えば図８(ｃ)の如く液晶ディスプレイ(９)の画面に、所望の“液晶角度”を入力するための画像Ｃが表示される。
ここで“液晶角度”の入力値は、筐体(１)を傾斜姿勢で自立させることが可能な角度範囲内に制限されている。この角度範囲内で入力された“液晶角度”は前記メモリ(14)に格納される。
【００２６】
図７のステップＳ１３では、ユーザの操作によって、液晶ディスプレイ(９)の傾斜を何れの液晶角度に変更する指令が発せられたかを判断し、ステップＳ１４では、指令された液晶角度に応じて鏡筒を駆動し、指令された液晶角度を実現するための繰り出し量を設定する。
【００２７】
この結果、鏡筒(２)は筐体(１)の前面から適切な繰り出し量だけ繰り出されることになる。
そこでユーザは、図４の如く、筐体(１)の底部と鏡筒(２)の先端部を接地させて、筐体(１)を傾斜姿勢で自立させる。
この時点で、液晶ディスプレイ(９)の画面にはスライドショーやＴＶ放送番組が映出される。
【００２８】
その後、図７のステップ１５では、ユーザの操作によって鑑賞モードの終了が指令されたか否かを判断し、ノーと判断されたときはステップＳ１３に戻って液晶角度の変更手続きを繰り返す。そして、ステップＳ１５にてイエスと判断されたときは、ステップＳ１６に移行して鑑賞モードを終了する。
尚、鑑賞モードの終了後、他のモードに移行したときは、鏡筒(２)は移行先のモードで設定された繰り出し量に設定され、電源キー(５)によって電源を切ると筐体(１)に収納される。
【００２９】
図７の制御手続きによれば、鑑賞モードにおける鏡筒(２)の繰り出し量は、筐体(１)を傾斜姿勢で自立させることが出来、然も、そのユーザにとって観やすい液晶角度となる大きさに設定されるので、ユーザの体格や外光等の周囲の環境に拘わらず、スライドショーやＴＶ放送番組を観やすい画面で視聴することが出来る。
【００３０】
上述の如く本発明に係るカメラによれば、クレードル等のスタンドを用いることなく筐体(１)を自立させてハンズフリーの状態で液晶ディスプレイ(９)の画像を観ることが出来る。
【００３１】
本発明の各部構成は上記実施の形態に限らず、特許請求の範囲に記載の技術的範囲内で種々の変形が可能である。例えば、鏡筒(２)の繰り出し量の変更は、筐体(１)に配備したスイッチの切り換えによって行なう構成や、無線のリモートコントロールによって行なう構成も採用可能である。
又、鑑賞モードは、スライドショーや動画を視聴するモードに限らず、カレンダー、時計、電子メールなどの各種情報を表示するためのモードであってもよい。
【００３２】
更に、筐体(１)を傾斜して自立させた状態をより安定させるために、鏡筒(２)の先端部の接地部に平面部を設け、当該接地部の接地面積を増大させてもよい。
更にまた本発明は、撮影機能を主体とするデジタルカメラに限らず、電話通信機能を主機能、撮影機能を補助機能とする電子機器に実施することも可能である。
【図面の簡単な説明】
【００３３】
【図１】本発明に係るデジタルカメラを前面側から見た斜視図である。
【図２】該デジタルカメラにおいて鏡筒の繰り出し状態を示す斜視図である。
【図３】該デジタルカメラを背面側から見た斜視図である。
【図４】該デジタルカメラの自立状態を示す側面図である。
【図５】該デジタルカメラの構成を示すブロック図である。
【図６】該デジタルカメラの鑑賞モードにおける制御手続きを示すフローチャート図である。
【図７】該デジタルカメラの鑑賞モードにおける他の制御手続きを示すフローチャート図である。
【図８】鑑賞モード設定時の画面表示例を示す図である。
【符号の説明】
【００３４】
(１)  筐体
(２)  鏡筒
(３)  レンズ
(５)  電源キー
(６)  シャッターキー
(７)  ズームキー
(８)  ４方向キー
(９)  液晶ディスプレイ
(10)  鏡筒駆動回路
(11)  制御回路
【図１】
2009186710.tif 000003
【図２】
2009186710.tif 000004
【図３】
2009186710.tif 000005
【図４】
2009186710.tif 000006
【図５】
2009186710.tif 000007
【図６】
2009186710.tif 000008
【図７】
2009186710.tif 000009
【図８】
2009186710.tif 000010